(57)【特許請求の範囲】
【請求項１】
撮像素子上に被写体像を形成する撮影光学系と、複数の遮光部材を開閉駆動して光通過口の面積を変化させ前記撮影光学系を通して前記撮像素子に入射する光量を調節する光量調節機構とを有し、前記撮像素子からの出力に基づいて前記撮影光学系の焦点調節状態の検出および被写体像の撮像を行うカメラであって、
前記光量調節機構は、焦点調節状態の検出時に、前記複数の遮光部材のうち一部の遮光部材を撮影光路内に進入させて前記撮影光路を仕切ることにより、光通過口を分割し一対の光通過口にし、
前記カメラは、前記一対の光通過口からの光に対応した前記撮像素子の出力の位相関係に基づいて、焦点調節状態の検出を行うことを特徴とするカメラ。
【請求項２】
前記撮像素子の入射面側に複数のマイクロレンズが設けられているとともに、前記撮像素子にはマイクロレンズ毎に少なくとも一対の光電変換部が設けられており、
前記一対の光電変換部のそれぞれの出力を個別に用いて焦点調節状態の検出を行い、前記一対の光電変換部からの出力を合成して撮像を行うことを特徴とする請求項１に記載のカメラ。
【請求項３】
焦点調節状態の検出時に、前記一対の光電変換部において同タイミングで光電変換を行うことを特徴とする請求項２に記載のカメラ。
【請求項４】
焦点調節状態の検出時に、前記分割された一対の光通過口を選択的に開閉する遮光機構を有することを特徴とする請求項１に記載のカメラ。
【請求項５】
前記光量調節機構は、前記複数の遮光部材をそれぞれ駆動するための複数のカム部を有するカム部材を備えており、
前記光通過口の分割に用いられる遮光部材に対して設けられたカム部には、これら遮光部材を光量調節のために開閉駆動する第１のカム領域と、前記一対の光通過口を形成するために駆動する第２のカム領域とが形成され、
前記光通過口の分割に用いられない他の遮光部材に対して設けられたカム部には、前記他の遮光部材を光量調節のために開閉駆動するカム領域と、前記光通過口の分割に用いられる遮光部材が前記第２のカム領域で駆動される際に非駆動状態とするための非カム領域とが形成されていることを特徴とする請求項１から３のいずれかに記載のカメラ。
【発明の詳細な説明】
【０００１】
【発明の属する技術分野】
本発明は、撮影光学系の焦点調節状態を検出可能なカメラに関するものである。
【０００２】
【従来の技術】
ＣＣＤ等の撮像素子を用いて撮影光学系の焦点調節状態を検出するカメラとしては、例えば特開平１１−１４２７２３号公報にて提案されており、その代表的な構成を図１６に示す。
【０００３】
撮影レンズ１０１の焦点調節状態を検出する際には、瞳分割絞り１０９を瞳分割絞り駆動モータ１１０を用いて撮像光学系内に回転駆動させて挿入し、さらに瞳遮光板１０７によって瞳分割絞り１０９に開けられた２つの光通過口１０９ａ，１０９ｂのうちどちらか一方を遮光するために瞳遮光板駆動モータ１０８用いて撮像光学系内に回転挿入させる。
【０００４】
まず、第１の光通過口１０９ａを遮光して第１の像を撮像し、次に第２の光通過口１０９ｂを遮光して第２の像を撮像する。このように瞳遮光板１０７を回転移動させて時系列的に異なる２つの像を撮像することによって、視差を持った２つの画像が得られる。そして、これら２つの画像を比較することによって焦点はずれ量（デフォーカス量）を算出する。
【０００５】
【発明が解決しようとする課題】
しかしながら、焦点調節状態の検出を行うに当たって、撮影光学系内に瞳分割を行うための専用の絞り機構や、２つの光開口のどちらかを遮光するための瞳遮光機構を追加することは、撮影光学系の大型化を招くだけでなく、さらにこれら機構を動作させるための複雑な機構を必要とするという問題がある。
【０００６】
また、時系列的に撮像された２像を比較することになるため、動いている被写体に対しては検出精度が落ちるという欠点もある。
【０００７】
【課題を解決するための手段】
上記の課題を解決するために、本発明では、撮像素子上に被写体像を形成する撮影光学系と、複数の遮光部材を開閉駆動して光通過口の面積を変化させ前記撮影光学系を通して撮像素子に入射する光量を調節する光量調節機構とを有し、撮像素子からの出力に基づいて撮影光学系の焦点調節状態の検出および被写体像の撮像を行うカメラにおいて、光量調節機構に、焦点調節状態の検出時に、上記複数の遮光部材のうち一部の遮光部材を撮影光路内に進入させて前記撮影光路を仕切ることにより、光通過口を分割し一対の光通過口にし、一対の光通過口からの光に対応した撮像素子の出力の位相関係に基づいて、焦点調節状態の検出を行うようにしている。
【０００８】
すなわち、撮影時に光量調節を行うために設けられた光量調節機構を利用して、焦点調節状態の検出時に撮影光学系からの光束の瞳分割を行うことにより、従来のように撮影光学系内に瞳分割を行うための専用の絞り機構を設ける場合に比べて、小型で簡単な構成のカメラを実現するようにしている。
【０００９】
具体的には、撮像素子の入射面側に複数のマイクロレンズを設けるとともに、撮像素子に、マイクロレンズ毎に少なくとも一対の光電変換部を設け、これら一対の光電変換部のそれぞれの出力を個別に用いて焦点調節状態の検出を行い、上記一対の光電変換部からの出力を合成して撮像を行うようにすればよい。
【００１０】
これにより、従来用いられていた、分割後に光通過口を選択的に遮光する瞳遮光板を不要とすることができ、より簡単な構成のカメラを得ることがかのとなる。
【００１１】
そして特に、焦点調節状態の検出時に、上記一対の光電変換部において同タイミングで光電変換を行うようにすれば、時系列的に撮像された２像を比較する従来の場合に比べて、動いている被写体に対して検出精度を落とさずに焦点調節状態を検出することが可能となる。
【００１２】
また、焦点調節状態の検出時に、上記複数に分割された光通過口を選択的に開閉する遮光機構を設けてもよい。
【００１３】
さらに、光量調節機構に、上記複数の遮光部材をそれぞれ駆動するための複数のカム部を有するカム部材を設け、上記光通過口の分割に用いられる遮光部材に対して設けられたカム部に、これら遮光部材を光量調節のために開閉駆動する第１のカム領域と、一対の光通過口を形成するために駆動する第２のカム領域とを形成し、光通過口の分割に用いられない他の遮光部材に対して設けられたカム部に、他の遮光部材を光量調節のために開閉駆動するカム領域と、上記光通過口の分割に用いられる遮光部材が上記第２のカム領域で駆動される際に非駆動状態とするための非カム領域とを形成してもよい。
【００１４】
これにより、１つのカム部材で、撮影時における全ての遮光部材の駆動を行うことができるとともに、焦点調節状態の検出時における一部の遮光部材のみの駆動とを行うことが可能になる。
【００１５】
【発明の実施の形態】
（第１実施形態）
図１〜図３には、本発明の第１実施形態であるカメラの撮像系の構成を示している。
【００１６】
１は被写体からの光束を予定結像面に対して焦点を結ばせるための撮影レンズ（撮影光学系）、２は撮影光量を調節するための絞り（光量調節機構）、３は予定結像面に配置されて被写体像を光電変換により撮像するための撮像素子である。
【００１７】
まず始めに、絞り２における絞り羽根の動作機構について説明する。被写体像を撮像する場合、撮像面に当たる光量を変化させるための方法として図２に示すような絞り機構を用いる。
【００１８】
この絞り機構は、遮光性を備えた６枚の絞り羽根（遮光部材）２１〜２６を有して構成されており、各絞り羽根は絞り羽根回転軸２１１〜２６１によって回転自在に支持されている。
【００１９】
図２（ａ）は絞りの開放状態を示しており、光通過口２Ａは絞り羽根によって略円形に形成されている。
【００２０】
この状態から絞り羽根２１〜２６をそれぞれ絞り羽根回転軸２１１〜２６１を中心に反時計回り方向に等しい回転角だけ回転させると、図２（ｂ）に示すような大きさの光通過口２Ａ’となる。この状態の光通過口２Ａ’は、開放状態の光通過口２Ａと同様に略円形であり、かつ開口面積が小さくなっている。
【００２１】
このようにして絞り羽根２１〜２６の回転角に応じて開口面積を変化させることにより、撮像素子３に到達する光量を調節することができる。
【００２２】
次に、焦点調節の方法について説明する。本実施形態のカメラは、撮像と焦点調節状態の検出［焦点はずれ量（デフォーカス量）の検出］の両方を、撮像素子３からの出力を用いて行うものである。
【００２３】
本実施形態では、撮像素子３は図４に示すように構成されている。３１１ａ〜３ｍｎａおよび３１１ｂ〜３ｍｎｂは光電変換部で、ここでは一対の光電変換部３ｍｎａ，３ｍｎｂを合わせた３ｍｎで『１画素』が構成されるものとする。
【００２４】
また、３ｍｎａと３ｍｎｂはそれぞれ第１光電変換部および第２光電変換部と称する。なお、ｍは列方向、ｎは行方向の画素の配列数を表している。
【００２５】
図４における１つの画素を光軸直交方向から見たものが図５である。画素３１１は、２つの光電変換部３１１ａおよび３１１ｂを備えており、従来、光電変換部毎に設けていたフローティングディフュージョン領域（以降、ＦＤ領域という）とソースフォロワアンプとを２つの光電変換部に１個だけ形成し、２つの光電変換領域をＭＯＳトランジスタスイッチを介してそのＦＤ領域に接続している。
【００２６】
したがって、２つの光電変換部の電荷を同時又は別々にＦＤ部へ転送でき、ＦＤ領域に接続した転送ＭＯＳトランジスタのタイミングだけで、２つの光電変換部の信号電荷の加算（合成）、非加算を簡単に行うことができる。
【００２７】
この構造を利用して、撮像レンズ１の射出瞳全体からの光束による光電変換出力を行う第１の出力モードと、撮像レンズ１の射出瞳の一部からの光束による光電変換出力を行う第２の出力モードとを切り換え可能としている。
【００２８】
画素レベルで信号の加算を行う第１の出力モードでは、信号を読み出した後で加算する方式に比べてノイズの少ない信号を得ることができる。このような構成の撮像素子３を用いることによって第１の出力モードでは撮像を行い、第２の出力モードでは焦点検出を行う。
【００２９】
図６には、撮像素子３の部分断面図を示す。撮影レンズ１は図の左側に位置し、撮像レンズ１を射出した光束は、撮像素子３の入射面側に『１画素』ごとに設けられたマイクロレンズ４ｍｎに入射する。実際にはマイクロレンズの後方にはカラーフィルターや配線が配置されているが、ここでは図示していない。マイクロレンズ４ｍｎに入射した光束は、所定の屈折を受けて光電変換部３ｍｎａ，３ｍｎｂに到達する。
【００３０】
各マイクロレンズ４のパワーは、撮像素子３の画素内の各光電変換部３ｍｎａ，３ｍｎｂを撮像レンズ１の射出瞳に投影するように設定されている。
【００３１】
なお、撮像レンズ１は瞳より射出した主光線の撮像素子３への入射角が０度となるようにテレセントリック系とするのがマイクロレンズによる瞳投影精度の点で望ましいが、小型化、ズーム比の高倍率化の要求から完全なテレセントリック系にならない場合もある。この際には、マイクロレンズと受光部とを僅かに偏心させ、偏心量を撮像光学系の光軸から光電変換部までの距離の関数とすればよい。一般には、この偏心量を距離に応じて単調に増加させれば、画面周辺の光電変換部も撮像レンズ１の射出瞳上に正しく投影できるようになる。
【００３２】
図６において実線で示された光束が第１光電変換部３ｍｎａに入射する光束であり、破線で示された光束が第２光電変換部３ｍｎｂに入射する光束である。したがって、撮像素子３の全体で第２光電変換部３ｍｎｂに入射する光束は撮影レンズ１の射出瞳の上半分（図１では左半分）を通過する光束となる。
【００３３】
一方、撮像素子３の全体の第１光電変換部３ｍｎａに入射する光束は、撮像レンズ１を対称軸として上下を反転したものとして考えればよいので、撮影レンズ１の射出瞳の下半分を通過する光束となる。
【００３４】
以上のような撮像系においては、例えば撮像素子３よりも手前に物体像が形成されているとき、射出瞳の上側を通る半光束は図６において撮像素子３上で下側にシフトし、射出瞳の下側を通る半光束は上側にシフトする。
【００３５】
つまり、撮像レンズ１の瞳の半分ずつを通った光束で形成される一対の画像信号は物体像の結像状態に応じて上下方向（図１では左右方向）に位相がシフトしたものとなる。
【００３６】
この位相ずれ量を検出することによって焦点はずれ量と方向とを算出することが可能である。
【００３７】
但し、この位相ずれ量を検出する際に注意すべき点がある。このような考えから焦点状態を検出するには、第１光電変換部の信号と第２光電変換部の信号が位相のみがシフトした関係でなければならず、単純にはこれが成り立つのは比較的デフォーカス量が小さい場合に限られる。
【００３８】
大デフォーカス時に焦点状態を検出するには瞳形状の非同一性が問題となってくるため、略同一形状の射出瞳形状を形成するように光束を制限する必要がある。
【００３９】
略同一形状の射出瞳形状が形成されていない場合、各光電変換部の投影像が撮像光学系の絞り開放時の射出瞳よりも大きくなるように設定してあるため、図６を用いて述べた瞳選択の関係から光電変換部に投影される瞳形状は図７に示すようになる。
【００４０】
図７において射出瞳上の第１の領域５ａが第１光電変換部のとらえる瞳形状で、第２の領域５ｂが第２光電変換部のとらえる瞳形状である。物体像のデフォーカス量が大きくなると、点像のボケは射出瞳の形が現れてくるため、第１光電変換部がとらえる画像と第２光電変換部がとらえる画像は円を２分割した形のぼけが重畳することになる。これらの形状は互いに裏返しの関係であって、平行移動で重ならない。
【００４１】
したがって、画像に重畳するぼけ形状も同様に裏返しの関係になり、第１光電変換部の信号と第２光電変換部の信号は形状を異ならせながら位相がシフトしたものになる。
【００４２】
図８に、被写体として１本線の像を用い、撮影レンズ１が被写体に対してある量デフォーカスした時に得られる像信号を示す。
【００４３】
第１光電変換部では、図８（ａ）に示すような像信号５１ａが得られ、第２光電変換部では、図８（ｂ）に示すような像信号５１ｂが得られる。このように第１光電変換部による像信号と第２光電変換部による像信号は互いに裏返しの関係となるため、平行移動しても像信号は重ならず正確な像の相関がとれなくなってしまう。
【００４４】
そのために大デフォーカス時には画像の位相差検出がうまく行えず、デフォーカス量検出誤差は大きくなる。
【００４５】
逆に、一対の焦点検出用画像の射出瞳形状が平行移動で重なるようにすると、第１光電変換部の信号と第２光電変換部の信号の関係が位相のみがシフトしたものになる。そうすることで大デフォーカスであってもデフォーカス量の検出誤差を極めて小さく抑えることが可能となるのである。
【００４６】
このような略同一形状の瞳形状を形成させるため、前述のように従来は図１６に示すような略同一形状の光通過口１０９ａ，１０９ｂが形成された瞳選択用絞り９を光路内に挿入することによって瞳選択を実現している。この瞳選択用絞り１０９の挿入によって図７の５ｃと５ｄのような領域が選択されることになる。
【００４７】
本実施形態においては、この光通過口を形成するために、本来、撮影時に撮影光量を調節するために設けられた絞り２を用いることによって同等以上の効果を得る。
【００４８】
図３に示すように、絞り羽根２１〜２６のうち２枚の絞り羽根２３，２６のみを撮影光路内に突出するよう回転させ、これら２枚の絞り羽根２３，２６の先端が重なるようにする。こうすることによって、略同一形状の分割された光通過口２Ａａ，２Ａｂが形成される。
【００４９】
この図１〜３に示したような絞り羽根２１〜２６の一連の動作を実現するための方法として、本実施形態ではカムを用いている。
【００５０】
具体的には、図９に示すように、ほぼ中央で屈曲した形状を有するカム溝部６１〜６６を形成したカム板（カム部材）６を用いて絞り２を構成する。
【００５１】
図１０は絞り２を開放にした状態を示している。この状態から図１１のようにカム板６を反時計回り方向に回転させると、絞り羽根駆動軸２１２〜２６２はカム溝部６１〜６６に沿って光軸中心から離れるような方向に動く。
【００５２】
このときの絞り羽根２１〜２６の開閉動作は、各カム溝部６１〜６６のうち屈曲箇所から一方側のカム領域（第１のカム領域）によって行われる。このカム領域は、全てのカム溝部６１〜６６において同一のカム形状を有する。
【００５３】
これによって絞り羽根２１〜２６は絞り羽根回転軸２１１〜２６１を中心に反時計回り方向に等しい回転角だけ回転し、光通過口が２Ａ’の形状となって開放時の光通過口２Ａより少し絞り込まれた状態（中間絞り状態）になる。
【００５４】
さらにカム板６を反時計回り方向に回転させると、図１２に示すように、図１１よりもさらに絞り羽根２１〜２６が回転し、光通過口が２Ａ''となってさらに絞り込まれた状態（小絞り状態）となる。撮影を行う際には、このような絞り込み動作およびこれとは逆の開放側への動作によって開口面積を変化させ、撮像素子３に到達する光量を調節する。
【００５５】
そして、不図示の制御回路は、第１光電変換部３ｍｎａおよび第２光電変換部３ｍｎｂにおいて同タイミングで得られた光電変換出力を加算して像信号を得て、被写体像の撮像を行う。
【００５６】
次に、焦点調節状態の検出を行う際の絞り羽根の動作を説明する。この場合、カム板６の回転によって２枚の絞り羽根２３，２６のみを撮影光路内に突出させるために、図１０に示した開放の状態からカム板６を時計回り方向に回転させる。
【００５７】
このとき、図１３に示すように、絞り羽根２１，２２，２４，２５に対して設けられたカム溝部６１，６２，６４，６５のうち屈曲箇所から他方側の領域（非カム領域）は開口円に沿った溝部として形成しているため、絞り羽根２１，２２，２４，２５は回転せずに開放状態のままの位置に保持される。
【００５８】
一方、絞り羽根２３，２６に対応して設けられたカム溝部６３，６６のうち屈曲箇所から他方側の領域（第２のカム領域）は光軸から離れる方向に延びているため、絞り羽根２３，２６はカム板６を反時計回り方向に回転させた時と同様に絞り羽根回転軸２１３，２６６を中心に反時計回り方向に回転する。これによって絞り羽根２３，２６のみが撮影光路に突出し、図１３に示すように、開放時の光通過口２Ａを分割して、略同一形状をした２つの光通過口２Ａａ，２Ａｂを形成する。
【００５９】
そして、不図示の制御回路では、第１光電変換部３ｍｎａおよび第２光電変換部３ｍｎｂにおいて同タイミングで得られた光電変換出力を個別に用いて像信号５１ａ，５１ｂを得ることにより像はずれ量および像はずれ方向を検出し、撮影レンズ１の焦点調節状態を判別する。
【００６０】
さらに、この判別結果に基づいて撮影レンズ１内のフォーカシングレンズ（図示せず）を駆動して合焦を得る。
【００６１】
以上のような構成の絞り２と撮像素子３とを用いたカメラにおいては、図１６に示したような瞳遮光板１０７、瞳遮光板駆動モータ１０８、瞳分割絞り１０９および瞳分割絞り駆動モータ１１０が不要となるため、カメラの構造が簡単になる。また、焦点調節状態の検出時に視差をもった２つの被写体像に対応する像信号を同時に得ることができるため、被写体が動体であっても精度良く焦点調節状態の検出を行うことができる。
【００６２】
（第２実施形態）
図１４および図１５には、本発明の第２実施形態であるカメラの撮像系の構成を示している。なお、本実施形態において、第１実施形態と共通する構成要素には同符号を付して説明に代える。
【００６３】
本実施形態では、図１４に示すように、撮像素子３０として、１つのマイクロレンズに対して、１つの光電変換部３０ｍｎａにより構成された１つの画素３０ｍｎが配置された構成のものを用いる。
【００６４】
この場合、瞳遮光板駆動モータ８によって瞳遮光板７を回転駆動し、絞り羽根２３，２６によって分割形成された光通過口２Ａａ，２Ａｂを時系列的に遮光する。これにより、画素ごとに１つの光電変換部３０ｍｎａを有する撮像素子３０を用いる場合でも、焦点調節状態の検出を行うための視差をもった２つの被写体像に対応した像信号が得られる。
【００６５】
そして、視差をもった２つの被写体像に対応した像信号に基づく像はずれ量および像ずれ方向の演算処理は、従来と同様の方法で行うことができる。
【００６６】
なお、上記各実施形態では、焦点調節状態の検出時に絞り２において２つの光通過口を形成する場合について説明したが、３つ以上の光通過口を形成するようにしてもよい。
【００６７】
【発明の効果】
以上説明したように、本発明によれば、撮影時に光量調節を行うために設けられた光量調節機構を利用して、焦点調節状態の検出時に撮影光学系からの光束の瞳分割を行うようにしているので、従来のように撮影光学系内に瞳分割を行うための専用の絞り機構を設ける場合に比べて、小型で簡単な構成のカメラを実現することができる。
【００６８】
なお、撮像素子の入射面側に複数のマイクロレンズを設けるとともに、撮像素子に、マイクロレンズ毎に少なくとも一対の光電変換部を設け、これら一対の光電変換部のそれぞれの出力を個別に用いて焦点調節状態の検出を行い、上記一対の光電変換部からの出力を合成して撮像を行うようにすれば、従来用いられていた、分割後に光通過口を選択的に遮光する瞳遮光板を不要とすることができ、より簡単な構成のカメラを得ることができる。
【００６９】
そして特に、焦点調節状態の検出時に、上記一対の光電変換部において同タイミングで光電変換を行うようにすれば、時系列的に撮像された２像を比較する従来の場合に比べて、動いている被写体に対して検出精度を落とさずに焦点調節状態を検出することができる。
【００７０】
さらに、光量調節機構において上記光通過口を分割する遮光部材に対して設けられたカム部に、これら遮光部材を光量調節のために開閉駆動する第１のカム領域と、光通過口を複数に分割するために駆動する第２のカム領域とを形成し、他の遮光部材に対して設けられたカム部に、これら他の遮光部材を光量調節のために開閉駆動するカム領域と、上記光通過口を分割する遮光部材が上記第２のカム領域で駆動される際に非駆動状態とするための非カム領域とを形成すれば、１つのカム部材で、撮影時における全ての遮光部材の駆動と、焦点調節状態の検出時における一部の遮光部材のみの駆動とを行うことができる。
【図面の簡単な説明】
【図１】本発明の第１実施形態であるカメラの撮像系の構成を示す図。
【図２】上記第１実施形態における絞りの開放状態および中間絞り状態を示す図。
【図３】上記第１実施形態における絞りの光通過口分割状態を示す図。
【図４】上記第１実施形態における撮像素子の構成を示す図。
【図５】上記第１実施形態における撮像素子の１画素の構成を示す図。
【図６】上記第１実施形態における撮像素子の１画素への光入射の様子を示す図。
【図７】上記第１実施形態における射出瞳の分割状態を表す図。
【図８】上記第１実施形態におけるデフォーカス時の線像に対応する像信号を示す図。
【図９】上記第１実施形態における絞りを構成するカム板を示す図。
【図１０】上記カム板を含む絞りの開放状態を示す図。
【図１１】上記カム板を含む絞りの中間絞り状態を示す図。
【図１２】上記カム板を含む絞りの小絞り状態を示す図。
【図１３】上記カム板を含む絞りの光通過口分割状態を示す図。
【図１４】本発明の第２実施形態であるカメラの撮像系に用いられる撮像素子の構成を示す図。
【図１５】上記第２実施形態における撮像系の構成を示す図。
【図１６】従来のカメラの撮像系を示す図。
【符号の説明】
１  撮影レンズ
２  絞り
２１，２２，２３，２４，２５，２６  絞り羽根
２１１，２２１，２３１，２４１，２５１，２６１  絞り羽根回転軸
２１２，２２２，２３２，２４２，２５２，２６２  絞り羽根駆動軸
２Ａ，２Ａ’，２Ａ''  光量調節時の光通過口
２Ａａ，２Ａｂ  焦点検出時の光通過口
３，３０  撮像素子
３１１〜３ｍｎ  画素
３１１ａ〜３ｍｎａ  第１光電変換部
３１１ｂ〜３ｍｎｂ  第２光電変換部
３０１１〜３０ｍｎ……撮像画素
３０１１ａ〜３０ｍｎａ  光電変換部
４  マイクロレンズ
５  射出瞳
５ａ  射出瞳上の第１の領域
５ｂ  射出瞳上の第２の領域
５ｃ  瞳選択後の第１の領域
５ｄ  瞳選択後の第２の領域
６  カム板
６１，６２，６３，６４，６５，６６  カム溝部
７  瞳遮光板
８  瞳遮光板駆動モータ
１０９  瞳分割絞り
１１０  瞳分割絞り駆動モータ
【図１】
0003919471.tif 000002
【図２】
0003919471.tif 000003
【図３】
0003919471.tif 000004
【図４】
0003919471.tif 000005
【図５】
0003919471.tif 000006
【図６】
0003919471.tif 000007
【図７】
0003919471.tif 000008
【図８】
0003919471.tif 000009
【図９】
0003919471.tif 000010
【図１０】
0003919471.tif 000011
【図１１】
0003919471.tif 000012
【図１２】
0003919471.tif 000013
【図１３】
0003919471.tif 000014
【図１４】
0003919471.tif 000015
【図１５】
0003919471.tif 000016
【図１６】
0003919471.tif 000017